(57)【要約】【課題】旅行中に作成される動画コンテンツは自作のものに限られており、動画コンテンツの品質や完成度には限界があった。また、高品質の動画コンテンツを観光ビデオや紹介ビデオを購入する以外に、旅行中に容易に獲得する方法がなかった。購入した観光ビデオや紹介ビデオは編集が困難であった。【解決手段】旅行者などが、RFIDなどのタグ001を所持し、観光ポイントに設置されたタグリーダー110にタグ001を読み込ませていくと、サーバー300にその読み込ませた履歴が時間軸で構築され、最後に、動画コンテンツ格納装置800にあらかじめ格納されている、観光ポイントに応じた動画コンテンツを訪問順につなぎ合わせて一つの動画コンテンツを作成し、動画記録媒体410に記録する。【選択図】図１
2007267145.tif 000002
【特許請求の範囲】
【請求項１】
タグ識別用のタグＩＤが記録されたタグと、前記タグに記録された前記タグＩＤを読み取る、受付装置、タグリーダー、および、編集装置と、前記受付装置、前記タグリーダーおよび前記編集装置から前記タグＩＤを受け付けるサーバーと、前記サーバーと通信可能な動画コンテンツ格納装置と、を含む動画コンテンツ記録システムであって、
前記受付装置は、
前記タグから前記タグＩＤを読み取る受付用タグリーダーと、
前記受付用タグリーダーが読み取ったタグＩＤを前記サーバーに提供する登録手段と、を含み、
前記タグリーダーは、
タグリーダー識別用のリーダーＩＤを格納するリーダーＩＤ格納手段と、
前記タグから前記タグＩＤを読み取り、該タグＩＤを前記リーダーＩＤとともに前記サーバーに送信する送信手段と、を含み、
前記動画コンテンツ格納装置は、前記タグリーダーの設置場所に関する動画コンテンツを、前記リーダーＩＤに対応づけて格納し、
前記サーバーは、
前記タグＩＤに対応するレコードを格納するためのテーブル格納手段と、
前記受付装置から前記タグＩＤを受け付けると、該タグＩＤに対応するレコードを前記テーブル格納手段に作成する構築手段と、
前記タグリーダーから前記タグＩＤと前記リーダーＩＤを受け付けると、該タグＩＤに対応するレコードに、該リーダーＩＤを記録していく格納制御手段と、
前記編集装置から前記タグＩＤを受け付けると、該タグＩＤに対応するレコードに記録されているリーダーＩＤを読み取り、該リーダーＩＤに対応する動画コンテンツを前記動画コンテンツ格納装置から読み取り、該動画コンテンツを、該編集装置に提供する提供手段と、を含み、
前記編集装置は、
前記タグから前記タグＩＤを読み取る編集用タグリーダーと、
前記編集用タグリーダーが読み取ったタグＩＤを前記サーバーに送信するタグＩＤ送信手段と、
前記サーバーから前記動画コンテンツを受け付け、該動画コンテンツを記録媒体に記録する記録手段と、を含む、動画コンテンツ記録システム。
【請求項２】
請求項１に記載の動画コンテンツ記録システムにおいて、
前記格納制御手段は、前記リーダーＩＤを、その受付順で、前記レコードに記録していき、
前記提供手段は、前記動画コンテンツを、その記録順で、前記編集装置に提供し、
前記記録手段は、前記動画コンテンツを、その受付順で、前記記録媒体に記録していく、動画コンテンツ記録システム。
【請求項３】
タグ識別用のタグＩＤが記録されたタグと、前記タグから前記タグＩＤを読み取る受付装置と、前記タグから前記タグＩＤを読み取りかつタグリーダー識別用のリーダーＩＤを格納するタグリーダーと、前記タグから前記タグＩＤを読み取る編集装置と、前記タグＩＤに対応するレコードを格納するためのテーブル格納手段を有するサーバーと、前記タグリーダーの設置場所に関する動画コンテンツを前記リーダーＩＤに対応づけて格納している動画コンテンツ格納装置と、を含むアルバム作成システムが行うアルバム作成方法であって、
前記受付装置が、前記タグから前記タグＩＤを読み取る受付用タグＩＤ読取ステップと、
前記受付装置が、前記タグＩＤを前記サーバーに提供する登録ステップと、
前記サーバーが、前記受付装置から前記タグＩＤを受け付けると、該タグＩＤに対応するレコードを前記テーブル格納手段に作成する構築ステップと、
前記タグリーダーが、前記タグから前記タグＩＤを読み取るタグＩＤ読取ステップと、
前記タグリーダーが、前記タグＩＤを前記リーダーＩＤとともに前記サーバーに送信する送信ステップと、
前記サーバーが、前記タグリーダーから前記タグＩＤと前記リーダーＩＤを受け付けると、該タグＩＤに対応するレコードに、該リーダーＩＤを記録していく格納制御ステップと、
前記編集装置が、前記タグから前記タグＩＤを読み取る編集用タグＩＤ読取ステップと、
前記編集装置が、前記タグＩＤを前記サーバーに送信するタグＩＤ送信ステップと、
前記サーバーが、前記編集装置から前記タグＩＤを受け付けると、該タグＩＤに対応するレコードに記録されているリーダーＩＤを読み取り、該リーダーＩＤに対応する動画コンテンツを前記動画コンテンツ格納装置から読み取り、該動画コンテンツを、該編集装置に提供する提供ステップと、
前記編集装置が、前記サーバーから前記動画コンテンツを受け付け、該動画コンテンツを記録媒体に記録する記録ステップと、を含む、動画コンテンツ記録方法。
【請求項４】
タグ識別用のタグＩＤが記録されたタグから前記タグＩＤを読み取る受付装置と、タグリーダー識別用のリーダーＩＤを格納するリーダーＩＤ格納手段を有し前記タグから前記タグＩＤを読み取るタグリーダーと、前記タグから前記タグＩＤを読み取る編集装置と、前記タグリーダーの設置場所に関する動画コンテンツを前記リーダーＩＤに対応づけて格納している動画コンテンツ格納装置と、に通信可能なサーバーであって、
前記タグＩＤに対応するレコードを格納するためのテーブル格納手段と、
前記受付装置から前記タグＩＤを受け付けると、該タグＩＤに対応するレコードを前記テーブル格納手段に作成する構築手段と、
前記タグリーダーから前記タグＩＤと前記リーダーＩＤを受け付けると、該タグＩＤに対応するレコードに、該リーダーＩＤを記録していく格納制御手段と、
前記編集装置から前記タグＩＤを受け付けると、該タグＩＤに対応するレコードに記録されているリーダーＩＤを読み取り、該リーダーＩＤに対応する動画コンテンツを前記動画コンテンツ格納装置から読み取り、該動画コンテンツを、該編集装置に提供する提供手段と、を含むサーバー。
【請求項５】
タグ識別用のタグＩＤが記録されたタグから前記タグＩＤを読み取る受付装置と、タグリーダー識別用のリーダーＩＤを格納するリーダーＩＤ格納手段を有し前記タグから前記タグＩＤを読み取るタグリーダーと、前記タグから前記タグＩＤを読み取る編集装置と、前記タグリーダーの設置場所に関する動画コンテンツを前記リーダーＩＤに対応づけて格納している動画コンテンツ格納装置と、に通信可能コンピュータに、動画コンテンツ記録処理を実行させるプログラムであって、
前記受付装置から前記タグＩＤを受け付けると、該タグＩＤに対応するレコードを作成する構築処理と、
前記タグリーダーから前記タグＩＤと前記リーダーＩＤを受け付けると、該タグＩＤに対応するレコードに、該リーダーＩＤを記録していく格納制御処理と、
前記編集装置から前記タグＩＤを受け付けると、該タグＩＤに対応するレコードに記録されているリーダーＩＤを読み取り、該リーダーＩＤに対応する動画コンテンツを前記動画コンテンツ格納装置から読み取り、該動画コンテンツを、該編集装置に提供する提供処理と、を含む動画コンテンツ記録処理を、前記コンピュータに実行させるプログラム。
【請求項６】
利用者識別用のタグＩＤが記録されたタグと、地域識別用の地域識別用タグＩＤが記録された地域識別用タグと、前記タグから前記タグＩＤを読み取る受付装置と、前記タグから前記タグＩＤを読み取り、かつ、前記地域識別用タグから前記地域識別用タグＩＤを読み取るタグリーダーと、前記タグリーダーが読み取ったタグＩＤおよび地域識別用タグＩＤを送信可能な携帯端末と、前記タグから前記タグＩＤを読み取る編集装置と、前記受付装置、前記携帯端末および前記編集装置から前記タグＩＤを受け付けるサーバーと、前記サーバーと通信可能な動画コンテンツ格納装置と、を含む動画コンテンツ記録システムであって、
前記受付装置は、
前記タグから前記タグＩＤを読み取る受付用タグリーダーと、
前記受付用タグリーダーが読み取ったタグＩＤを前記サーバーに提供する登録手段と、を含み、
前記タグリーダーは、前記タグから前記タグＩＤを読み取り、かつ、前記地域識別用タグから前記地域識別用タグＩＤを読み取り、該タグＩＤを該地域識別用タグＩＤとともに前記携帯端末に送信するＩＤ送信手段を含み、
前記携帯端末は、
前記タグリーダーから前記タグＩＤおよび前記地域識別用タグＩＤを受け付けるＩＤ受付手段と、
前記ＩＤ受付手段が受け付けたタグＩＤおよび地域識別用タグＩＤを前記サーバーに送信するＩＤ送信手段と、を含み、
前記動画コンテンツ格納装置は、前記タグリーダーの設置場所に関する動画コンテンツを、前記リーダーＩＤに対応づけて格納し、
前記サーバーは、
前記タグＩＤに対応するレコードを格納するためのテーブル格納手段と、
前記受付装置から前記タグＩＤを受け付けると、該タグＩＤに対応するレコードを前記テーブル格納手段に構築する構築手段と、
前記携帯端末から前記タグＩＤと前記リーダーＩＤを受け付けると、該タグＩＤに対応するレコードに、該リーダーＩＤを記録していく格納制御手段と、
前記編集装置から前記タグＩＤを受け付けると、該タグＩＤに対応するレコードに記録されているリーダーＩＤを読み取り、該リーダーＩＤに対応する動画コンテンツを前記動画コンテンツ格納装置から読み取り、該動画コンテンツを、該編集装置に提供する提供手段と、を含み、
前記編集装置は、
前記タグから前記タグＩＤを読み取る編集用タグリーダーと、
前記編集用タグリーダーが読み取ったタグＩＤを前記サーバーに送信するタグＩＤ送信手段と、
前記サーバーから前記動画コンテンツを受け付け、該動画コンテンツを記録媒体に記録する記録手段と、を含む、動画コンテンツ記録システム。
【発明の詳細な説明】
【技術分野】
【０００１】
本発明は、動画コンテンツ記録システム、サーバー、動画コンテンツ記録方法およびプログラムに関し、例えば、ユビキタス環境下で、動画アルバムを制作する動画コンテンツ記録システム、サーバー、動画コンテンツ記録方法およびプログラムに関する。
【背景技術】
【０００２】
利用者は、旅行中などの外出先で動画を制作する場合、ビデオカメラ等の撮影機器で撮影を行うか、動画が格納されたビデオテープまたはDVDなどの媒体を旅行地で購入していた。
【０００３】
また、自ら撮影したビデオの断片（ビデオクリップ）を選択して編集する手法が提案されている。
【０００４】
また、近年では、データを蓄積できるネットワーク上のサーバーに、利用者が撮影した動画データを送信および蓄積する編集方法も提案されている。
【０００５】
また、特許文献１（特開２００２−３５８３１０号公報）には、自動的にコンテンツを取得して、魅力のあるオリジナルアルバムを作成することが可能な電子アルバム作成システムが記載されている。
【０００６】
この電子アルバム作成システムでは、観光地などで観光客がカメラで撮影を行うと、カメラは、観光地に設置された機器からイベントＩＤを取得し、そのイベントＩＤを撮影画像とともにサーバーに送信する。サーバーは、そのイベントＩＤに対応づけられているコンテンツを読み出し、そのコンテンツをアルバムに付加する。
【０００７】
なお、イベントＩＤは、カメラに着脱可能な記録媒体に記録される。また、イベントＩＤとして、携帯電話機またはＰＨＳが基地局からの位置情報をもとに割り出した利用者の位置が用いられる場合もある。
【特許文献１】特開２００３−３５８３１０号公報
【発明の開示】
【発明が解決しようとする課題】
【０００８】
第１の問題点は、旅行者などが自ら撮影したビデオは、撮影日時、カメラアングルなどに制約があり、また撮影テクニックも十分でないため、できあがるビデオの品質が低いことである。
【０００９】
第２の問題点は、観光地などで購入できる観光ビデオの内容は、高品質であるが、旅行者一般に販売するため、必ずしも旅行者が訪れた地点ではない映像も含まれており、また、コンテンツの再生順が、旅行者が訪れた地点の順番とは異なっている場合があるなど、旅行者の記憶（思い出）とのギャップが生じていた。
【００１０】
また、市販のビデオテープなどの映像から旅行者が訪れた地点に関するビデオクリップを抽出して訪問順に再編集するには、高度の専門知識と機材が必要であった。
【００１１】
また、特許文献１に記載の電子アルバム作成システムは、以下の問題を有する。
【００１２】
カメラに着脱可能な記録媒体が用いられる場合、その記録媒体にイベントＩＤを記録するための装置（例えば、コンビニエンスストアに設置されている情報端末のようなもの）が必要となり、設置コストが大きい。また、イベントＩＤを取得するための利用者の操作も複雑となる。
【００１３】
また、イベントＩＤとして、基地局からの位置情報をもとに割り出された利用者の位置が用いられる場合、利用者がいる地点に関連するコンテンツが必ずあるという保証ができない仕組みとなる。このため、利用者がイベントＩＤに関連するコンテンツを取得する操作をしても、位置情報からコンテンツを獲得できないという事態が生ずる可能性がある。これを回避するには、コンテンツを取得可能な位置であることを示す何らかの情報が必要であるが、基地局からの位置情報では、この情報を獲得するのは困難である。
［発明の目的］
本発明の目的は、利用者が旅行中などのユビキタス環境化でも、観光地などにおいて、あらかじめ用意された高品質の動画データを、簡単な操作で利用者が獲得でき、高品質の動画アルバムを簡単に作成できるようにすることである。
【課題を解決するための手段】
【００１４】
上記目的を達成するために、本発明の動画コンテンツ記録システムは、タグ識別用のタグＩＤが記録されたタグと、前記タグに記録された前記タグＩＤを読み取る、受付装置、タグリーダー、および、編集装置と、前記受付装置、前記タグリーダーおよび前記編集装置から前記タグＩＤを受け付けるサーバーと、前記サーバーと通信可能な動画コンテンツ格納装置と、を含む動画コンテンツ記録システムであって、前記受付装置は、前記タグから前記タグＩＤを読み取る受付用タグリーダーと、前記受付用タグリーダーが読み取ったタグＩＤを前記サーバーに提供する登録手段と、を含み、前記タグリーダーは、タグリーダー識別用のリーダーＩＤを格納するリーダーＩＤ格納手段と、前記タグから前記タグＩＤを読み取り、該タグＩＤを前記リーダーＩＤとともに前記サーバーに送信する送信手段と、を含み、前記動画コンテンツ格納装置は、前記タグリーダーの設置場所に関する動画コンテンツを、前記リーダーＩＤに対応づけて格納し、前記サーバーは、前記タグＩＤに対応するレコードを格納するためのテーブル格納手段と、前記受付装置から前記タグＩＤを受け付けると、該タグＩＤに対応するレコードを前記テーブル格納手段に作成する構築手段と、  前記タグリーダーから前記タグＩＤと前記リーダーＩＤを受け付けると、該タグＩＤに対応するレコードに、該リーダーＩＤを記録していく格納制御手段と、前記編集装置から前記タグＩＤを受け付けると、該タグＩＤに対応するレコードに記録されているリーダーＩＤを読み取り、該リーダーＩＤに対応する動画コンテンツを前記動画コンテンツ格納装置から読み取り、該動画コンテンツを、該編集装置に提供する提供手段と、を含み、前記編集装置は、前記タグから前記タグＩＤを読み取る編集用タグリーダーと、前記編集用タグリーダーが読み取ったタグＩＤを前記サーバーに送信するタグＩＤ送信手段と、前記サーバーから前記動画コンテンツを受け付け、該動画コンテンツを記録媒体に記録する記録手段と、を含む。
【００１５】
また、本発明の動画コンテンツ記録方法は、タグ識別用のタグＩＤが記録されたタグと、前記タグから前記タグＩＤを読み取る受付装置と、前記タグから前記タグＩＤを読み取りかつタグリーダー識別用のリーダーＩＤを格納するタグリーダーと、前記タグから前記タグＩＤを読み取る編集装置と、前記タグＩＤに対応するレコードを格納するためのテーブル格納手段を有するサーバーと、前記タグリーダーの設置場所に関する動画コンテンツを前記リーダーＩＤに対応づけて格納している動画コンテンツ格納装置と、を含むアルバム作成システムが行うアルバム作成方法であって、前記受付装置が、前記タグから前記タグＩＤを読み取る受付用タグＩＤ読取ステップと、前記受付装置が、前記タグＩＤを前記サーバーに提供する登録ステップと、前記サーバーが、前記受付装置から前記タグＩＤを受け付けると、該タグＩＤに対応するレコードを前記テーブル格納手段に作成する構築ステップと、前記タグリーダーが、前記タグから前記タグＩＤを読み取るタグＩＤ読取ステップと、前記タグリーダーが、前記タグＩＤを前記リーダーＩＤとともに前記サーバーに送信する送信ステップと、前記サーバーが、前記タグリーダーから前記タグＩＤと前記リーダーＩＤを受け付けると、該タグＩＤに対応するレコードに、該リーダーＩＤを記録していく格納制御ステップと、前記編集装置が、前記タグから前記タグＩＤを読み取る編集用タグＩＤ読取ステップと、前記編集装置が、前記タグＩＤを前記サーバーに送信するタグＩＤ送信ステップと、前記サーバーが、前記編集装置から前記タグＩＤを受け付けると、該タグＩＤに対応するレコードに記録されているリーダーＩＤを読み取り、該リーダーＩＤに対応する動画コンテンツを前記動画コンテンツ格納装置から読み取り、該動画コンテンツを、該編集装置に提供する提供ステップと、前記編集装置が、前記サーバーから前記動画コンテンツを受け付け、該動画コンテンツを記録媒体に記録する記録ステップと、を含む。
【００１６】
また、本発明のサーバーは、タグ識別用のタグＩＤが記録されたタグから前記タグＩＤを読み取る受付装置と、タグリーダー識別用のリーダーＩＤを格納するリーダーＩＤ格納手段を有し前記タグから前記タグＩＤを読み取るタグリーダーと、前記タグから前記タグＩＤを読み取る編集装置と、前記タグリーダーの設置場所に関する動画コンテンツを前記リーダーＩＤに対応づけて格納している動画コンテンツ格納装置と、に通信可能なサーバーであって、前記タグＩＤに対応するレコードを格納するためのテーブル格納手段と、前記受付装置から前記タグＩＤを受け付けると、該タグＩＤに対応するレコードを前記テーブル格納手段に作成する構築手段と、前記タグリーダーから前記タグＩＤと前記リーダーＩＤを受け付けると、該タグＩＤに対応するレコードに、該リーダーＩＤを記録していく格納制御手段と、前記編集装置から前記タグＩＤを受け付けると、該タグＩＤに対応するレコードに記録されているリーダーＩＤを読み取り、該リーダーＩＤに対応する動画コンテンツを前記動画コンテンツ格納装置から読み取り、該動画コンテンツを、該編集装置に提供する提供手段と、を含む。
【００１７】
上記発明によれば、利用者が、タグリーダーにタグのタグＩＤを読み取らせれば、サーバーは、タグリーダーの設置地域に関する動画コンテンツに対応するリーダーＩＤを、タグＩＤのレコードに記録する。その後、利用者が、編集装置にタグのタグＩＤを読み取らせれば、サーバーは、そのタグＩＤのレコード内のリーダーＩＤに対応する動画コンテンツを、動画コンテンツ格納装置から読み取り、その動画コンテンツを、編集装置に提供する。編集装置は、その動画コンテンツを、記録媒体に記録する。
【００１８】
このため、利用者は、観光地などでも、あらかじめ用意された高品質の動画コンテンツを簡単に獲得でき、その動画コンテンツを動画アルバムデータとして用いることが可能になる。よって、利用者は高品質の動画アルバムを簡単に作成することが可能になる。
【００１９】
なお、  前記格納制御手段は、前記リーダーＩＤを受け付けた順に、該リーダーＩＤを、前記レコードに記録していき、前記提供手段は、前記動画コンテンツを、該動画コンテンツに対応するリーダーＩＤが記録された順に、前記編集装置に提供し、前記記録手段は、前記動画コンテンツを受け付けた順で、該動画コンテンツを前記記録媒体に記録していくことが望ましい。
【００２０】
上記発明によれば、旅行者が訪れた地点の順番どおりに、動画コンテンツを再生することが可能になる。
【００２１】
また、本発明のプログラムは、タグ識別用のタグＩＤが記録されたタグから前記タグＩＤを読み取る受付装置と、タグリーダー識別用のリーダーＩＤを格納するリーダーＩＤ格納手段を有し前記タグから前記タグＩＤを読み取るタグリーダーと、前記タグから前記タグＩＤを読み取る編集装置と、前記タグリーダーの設置場所に関する動画コンテンツを前記リーダーＩＤに対応づけて格納している動画コンテンツ格納装置と、に通信可能コンピュータに、動画コンテンツ記録処理を実行させるプログラムであって、前記受付装置から前記タグＩＤを受け付けると、該タグＩＤに対応するレコードを作成する構築処理と、前記タグリーダーから前記タグＩＤと前記リーダーＩＤを受け付けると、該タグＩＤに対応するレコードに、該リーダーＩＤを記録していく格納制御処理と、前記編集装置から前記タグＩＤを受け付けると、該タグＩＤに対応するレコードに記録されているリーダーＩＤを読み取り、該リーダーＩＤに対応する動画コンテンツを前記動画コンテンツ格納装置から読み取り、該動画コンテンツを、該編集装置に提供する提供処理と、を含む動画コンテンツ記録処理を、前記コンピュータに実行させる。
【００２２】
上記発明によれば、上記動画コンテンツ記録方法をコンピュータに実行させることが可能になる。
【００２３】
また、本発明の動画コンテンツ記録システムは、利用者識別用のタグＩＤが記録されたタグと、地域識別用の地域識別用タグＩＤが記録された地域識別用タグと、前記タグから前記タグＩＤを読み取る受付装置と、前記タグから前記タグＩＤを読み取り、かつ、前記地域識別用タグから前記地域識別用タグＩＤを読み取るタグリーダーと、前記タグリーダーが読み取ったタグＩＤおよび地域識別用タグＩＤを送信可能な携帯端末と、前記タグから前記タグＩＤを読み取る編集装置と、前記受付装置、前記携帯端末および前記編集装置から前記タグＩＤを受け付けるサーバーと、前記サーバーと通信可能な動画コンテンツ格納装置と、を含む動画コンテンツ記録システムであって、前記受付装置は、前記タグから前記タグＩＤを読み取る受付用タグリーダーと、前記受付用タグリーダーが読み取ったタグＩＤを前記サーバーに提供する登録手段と、を含み、前記タグリーダーは、前記タグから前記タグＩＤを読み取り、かつ、前記地域識別用タグから前記地域識別用タグＩＤを読み取り、該タグＩＤを該地域識別用タグＩＤとともに前記携帯端末に送信するＩＤ送信手段を含み、前記携帯端末は、前記タグリーダーから前記タグＩＤおよび前記地域識別用タグＩＤを受け付けるＩＤ受付手段と、前記ＩＤ受付手段が受け付けたタグＩＤおよび地域識別用タグＩＤを前記サーバーに送信するＩＤ送信手段と、を含み、前記動画コンテンツ格納装置は、前記タグリーダーの設置場所に関する動画コンテンツを、前記リーダーＩＤに対応づけて格納し、前記サーバーは、前記タグＩＤに対応するレコードを格納するためのテーブル格納手段と、前記受付装置から前記タグＩＤを受け付けると、該タグＩＤに対応するレコードを前記テーブル格納手段に作成する構築手段と、前記携帯端末から前記タグＩＤと前記リーダーＩＤを受け付けると、該タグＩＤに対応するレコードに、該リーダーＩＤを記録していく格納制御手段と、前記編集装置から前記タグＩＤを受け付けると、該タグＩＤに対応するレコードに記録されているリーダーＩＤを読み取り、該リーダーＩＤに対応する動画コンテンツを前記動画コンテンツ格納装置から読み取り、該動画コンテンツを、該編集装置に提供する提供手段と、を含み、前記編集装置は、前記タグから前記タグＩＤを読み取る編集用タグリーダーと、前記編集用タグリーダーが読み取ったタグＩＤを前記サーバーに送信するタグＩＤ送信手段と、前記サーバーから前記動画コンテンツを受け付け、該動画コンテンツを記録媒体に記録する記録手段と、を含む。
【００２４】
上記発明によれば、利用者は、観光地などでも、あらかじめ用意された高品質の動画コンテンツを簡単に獲得でき、その動画コンテンツを動画アルバムデータとして用いることが可能になる。よって、利用者は高品質の動画アルバムを簡単に作成することが可能になる。
【発明の効果】
【００２５】
本発明によれば、高品質の動画アルバムを簡単に製作することが可能になることである。
【発明を実施するための最良の形態】
【００２６】
以下、本発明の実施形態を、図面を参照して説明する。
【００２７】
まず、本実施形態の概要を説明する。
【００２８】
図１は、本発明の一実施形態の動画コンテンツ記録システムの構成の概要を示すブロック図である。
【００２９】
図１において、動画コンテンツ記録システムは、タグ001と、受付端末100と、地点タグリーダー110と、編集タグリーダー120と、タグリーダー130と、サーバー300と、編集端末400と、動画コンテンツ格納装置800とを含む。
【００３０】
タグ001は、個人（エンドユーザ、利用者）に携帯されている。タグ001には、タグ識別用のタグIDが記録されている。なお、タグ001は、個人に携帯されているため、タグIDは、利用者識別用のタグIDとしても機能する。
【００３１】
地点タグリーダー110には、タグリーダー識別用のリーダー識別データ（リーダーID）112が記録されている。なお、リーダー識別データ112は、地点タグリーダー110が設置されている地点を特定するためのデータとして、使用される。
【００３２】
動画コンテンツ格納装置800は、動画コンテンツDB320を有する。動画コンテンツDB320には、リーダー識別データ112が、そのリーダー識別データ112にて特定されるタグリーダー110の設置場所に関する動画コンテンツと関連づけて格納されている。
【００３３】
利用者は、タグ001をタグリーダー130にかざし、タグIDをタグリーダー130に読み込ませる。
【００３４】
受付端末100は、タグリーダー130が読み込んだタグIDを、通信網600を経由してサーバー300に送信する。
【００３５】
サーバー300は、受付端末100からタグIDを受信すると、利用者別履歴テーブル330に、そのタグIDに関する履歴レコードを生成する。なお、サーバー300は、タグIDごとに、履歴レコードを生成する。利用者別履歴テーブル330は、テーブル格納部に格納されている。
【００３６】
次に、利用者は、観光地などの複数の地点で、その場に設置されている地点タグリーダー110にタグ001をかざし、タグIDを地点タグリーダー110に読み込ませる。
【００３７】
地点タグリーダー110は、そのタグIDと、リーダー識別データ112とを、通信網500を経由してサーバー300に送信する。
【００３８】
サーバー300は、地点タグリーダー110から、タグIDとリーダー識別データ112を受信すると、タグIDに対応する履歴レコードに、リーダー識別データ112を、受信順に、記録していく。
【００３９】
利用者が、訪れた地点の動画アルバムを作成しようとすると、利用者は、編集端末400が設置してある場所で、編集端末400に接続された編集タグリーダー120にタグ001をかざし、タグIDを編集タグリーダー120に読み込ませる。
【００４０】
編集端末400は、編集タグリーダー１２０が読み込んだタグIDを、通信網700を経由してサーバー300に送信する。
【００４１】
サーバー300は、編集端末400からタグIDを受信すると、そのタグIDに対応した履歴レコードから、リーダー識別データ112を、それらの記録順に読み出す。
【００４２】
サーバー300は、その読み出した順番に、そのリーダー識別データ112に対応する動画コンテンツを動画コンテンツDB320から順次選択して、それらの動画コンテンツを、その選択順で、通信網700を経由して編集端末400に送信する。
【００４３】
編集端末400は、全ての動画コンテンツを受信順に結合編集し、ひとつの動画コンテンツを生成し、動画記録媒体410に書き出す。
【００４４】
なお、タグリーダー110と動画コンテンツ格納装置800は、例えば自治体1001にて管理され、サーバー300は、例えばＩＳＰ1002にて管理され、編集タグリーダー120と編集端末400は、例えば動画記録媒体作成業者1003にて管理され、タグ001と、受付端末100と、タグリーダー130は、例えば利用者1004にて管理される。
【００４５】
次に、本実施形態について、より詳細に説明する。
【００４６】
図２は、本実施形態の構成を示すブロック図である。なお、図２において、図１に示したものと同一のものには同一符号を付してある。
【００４７】
図２において、受付装置100Aは、受付端末100とタグリーダー130とを含む。受付端末100は、タグ利用者登録手段101を含む。
【００４８】
タグ利用者登録手段101は、接続されたタグリーダー130によって、利用者のタグ001からタグIDを読み込み、そのタグIDを通信網600を介して、サーバー300に送信する。
【００４９】
地点タグリーダー110は、例えば、観光地ごとに設置され、タグデータ・リーダー識別データ送信手段111と、リーダー識別データ格納部112aとを含む。
【００５０】
リーダー識別データ格納部112aは、地点タグリーダー110が固有に有しているリーダー識別データ112を格納する。
【００５１】
タグデータ・リーダー識別データ送信手段111は、タグ001に記載されているタグIDを読み込み、そのタグIDをリーダー識別データ112とともに、通信網500を介して、サーバー300に送信する。
【００５２】
なお、地点タグリーダー110は１つの観光地に１台ずつ設置されてもよいし、１つの観光地に複数台設置されてもよい。なお、１つの観光地に複数台の地点タグリーダー110が設置される場合、動画コンテンツ格納装置800で管理されている、各地点タグリーダー110に対応する動画コンテンツは、互いに異なることが望ましい。
【００５３】
動画コンテンツ格納装置800内の動画コンテンツDB320は、地点タグリーダー110が設置されている場所に関連する動画コンテンツ（例えば、高品質の動画コンテンツ）321および322を、各地点タグリーダー110のリーダー識別データ112に対応づけて格納する。
【００５４】
サーバー300は、インターネットなどの通信網からアクセス可能であり、履歴テーブル構築手段309と、利用者別履歴テーブル330と、タグデータ受信手段301と、利用者判定手段302と、訪問履歴格納手段303と、利用者特定手段307と、動画コンテンツ送信手段308とを含む。
【００５５】
履歴テーブル構築手段309は、タグ利用者登録手段101から受け付けたタグIDに対応する履歴レコードを、タグIDごとに、利用者別履歴テーブル330に登録する。
【００５６】
利用者別履歴テーブル330は、利用者別の履歴レコードを格納する。
【００５７】
タグデータ受信手段301は、地点タグリーダー110から送信されるタグIDおよびリーダー識別データ112を受信する。
【００５８】
利用者判定手段302は、受信したタグIDに対応する履歴レコードを特定する。
【００５９】
訪問履歴格納手段303は、タグIDに基づいて特定された利用者の履歴レコードに、そのタグIDとともに受信されたリーダー識別データ112を追記していく。
【００６０】
利用者特定手段307は、編集端末400からタグIDを受信し、そのタグIDに対応する履歴レコードを特定する。
【００６１】
動画コンテンツ送信手段308は、利用者特定手段307で特定された履歴レコードに格納されているリーダー識別データ112に対応する動画コンテンツを、リーダー識別データ112の格納順に、動画コンテンツDB320から抽出して、通信網700を経由して編集端末400に送信する。
【００６２】
編集タグリーダー120は、タグデータ送信手段121を含む。
【００６３】
タグデータ送信手段121は、利用者のタグ001からタグIDを読み込むと、そのタグIDを編集端末400に送信する。
【００６４】
編集端末400は、タグデータ送信手段401と、動画媒体制作手段402とを含む。
【００６５】
タグデータ送信手段401は、編集タグリーダー120からタグIDを受信し、そのタグIDをインターネット等の通信網700を経由してサーバー300に送信する。
【００６６】
動画媒体制作手段402は、サーバー300の動画コンテンツ送信手段308から受信する動画コンテンツを受信順につなぎ合わせて、一つの動画コンテンツ403を生成し、その動画コンテンツ403を動画記録媒体410に書き出す。
〔実施例〕
次に、本発明を実施するための実施例ついて図面を参照して詳細に説明する。
【００６７】
以下では、利用者が、携帯電話とタグ001を所持して旅行を行う場合を想定する。
【００６８】
図３は、受付端末100の動作を説明するための構成図である。なお、図３において、図２に示したものと同一のものには同一符号を付してある。
【００６９】
図３において、タグ001は、RFIDなどの非接触ICにより構成される。タグ001は、非接触ICに限らず適宜変更可能であり、例えば、磁気カード、または、一次元バーコードあるいは二次元バーコードが印刷された印刷物でもよい。また、タグ001として、携帯電話に内蔵された非接触ICチップが用いられてもよい。非接触ICチップ内蔵の携帯電話は、例えば、FeliCa携帯電話である。
【００７０】
受付端末100は、例えばPCであり、インターネットなどの通信環境に接続可能である。受付端末100は、タグ001がRFIDの場合はRFIDリーダー、タグ001が磁気カードの場合は磁気カードリーダー、タグ001が一次元バーコードまたは二次元バーコードの場合はバーコードリーダーを、タグリーダー130として、接続可能である。
【００７１】
次に、動作を説明する。
【００７２】
利用者Xがタグリーダー130にタグ001をかざすと、タグリーダー130は、タグ001からタグID＜1001＞を読み込み、そのタグID＜1001＞をタグ利用者登録手段101に提供する。
【００７３】
タグ利用者登録手段101は、タグID＜1001＞を受け付けると、そのタグID＜1001＞をサーバー300にインターネット等の通信網700を介して送信する。
【００７４】
利用者Xは、この操作を、旅行を始める前に行う。
【００７５】
図４は、利用者Xが動画コンテンツを獲得していく動作を説明するための構成図である。なお、図４において、図２に示したものと同一のものには同一符号を付してある。
【００７６】
利用者は、観光ポイントＡ地点を訪れる。この観光ポイントＡ地点には、地点タグリーダー110-Aが設置されている。地点タグリーダー110-Aのリーダー識別データ格納部112Aには、リーダー識別データ102として、＜R-a＞が格納されている。
【００７７】
タグデータ・リーダー識別データ送信手段111は、タグ001からタグID＜1001＞を読み込むと、リーダー識別データとタグIDの対である＜R-a:1001＞を、インターネットや公衆回線などの通信網500を介して、サーバー300に送信する。
【００７８】
なお、受付端末100の場合と同じく、タグ001は、RFID、磁気カード、バーコード、または、携帯電話内のタグであってもかまわない。
【００７９】
次に、利用者XがポイントＣ地点でも同様の動作を繰り返すと、ポイントＣに設置されている地点タグリーダー110-Cは、＜R-c:1001＞というデータを、サーバー300に対して送信する。
【００８０】
図５は、動画コンテンツ格納装置800の動画コンテンツDB320の具体的な例を示した説明図である。
【００８１】
動画コンテンツDB320は、地点タグリーダー110が設置された各ポイントで得ることができる特有の動画コンテンツ321,322・・・から構成されている。
【００８２】
動画コンテンツDB320に格納されている動画は、真夜中しか見られないなどの時間的制約、動物の出現などの偶発的制約、居住者しか公開されていないなどの閲覧制約など、利用者がそのポイントに居たとしても、必ずしも撮影することができない動画や、プロの写真家が撮影したクオリティの高い動画で構成されている。
【００８３】
各々の動画コンテンツは、地点タグリーダー110が設置されている観光ポイント、具体的には、その観光地ポイントに設定されている地点タグリーダー110のリーダー識別データ112に関連づけて格納されている。
【００８４】
例では、ポイントＢでは、季節によりツキノワグマが見られることから、ツキノワグマが出現したときの動画が格納されている。これらの動画は、観光地の商店などの提供者側から提供されるため、プロに撮影を依頼したり、撮影に好条件の時期、日時に撮影するなどで、高品質の動画を格納しておくことができる。
【００８５】
図６は、サーバー300内の利用者別履歴テーブル330の具体的な例を示した説明図である。
【００８６】
履歴テーブル構築手段309は、タグ利用者登録手段101からタグデータ＜1001＞を受信すると、利用者別履歴テーブル330に、タグID＜1001＞を有するレコードを追加する。同様に、別の利用者Yがタグデータ＜1002＞を送信してきたら、履歴テーブル構築手段309は、タグID＜1002＞のレコードを追加する。
【００８７】
利用者Xが観光ポイントAで地点タグリーダー110-Aにタグ001のタグIDを読み込ませると、タグデータ受信手段301は、地点タグリーダー110-Aから＜Ra：1001＞のデータを受信する。
【００８８】
続いて、利用者判定手段302は、その受信されたデータに記載されているタグID＜1001＞に対応するレコード、すなわち、タグID＜1001＞のレコードを特定する。
【００８９】
続いて、訪問履歴格納手段303は、タグID＜1001＞のレコードの最初の観光ポイント欄に、その受信されたデータに記載されている＜Ra＞から判定される＜Ａ＞というデータを格納する。
【００９０】
続いて、利用者Xが観光ポイントＣで同様の動作を行うと、利用者別履歴テーブルのタグID＜1001＞のレコードの２番目の欄に＜Ｃ＞というデータが書き込まれる。
【００９１】
図７は、利用者Xが利用者別履歴テーブル330に格納した観光ポイントに対応する動画を動画媒体へ出力するときの動作を説明するための構成図である。なお、図７において、図２に示したものと同一のものには同一符号を付してある。
【００９２】
利用者Xは動画媒体を出力可能な店舗等へ移動し、そこに設置してある編集タグリーダー120にタグ001のタグIDを読み込ませる。編集タグリーダー120は、編集端末400に接続されている。編集タグリーダー120と編集端末400は、RFIDリーダーとPCとの組み合わせで実現される。
【００９３】
編集タグリーダー120のタグデータ送信手段121が、タグID＜1001＞を編集端末400に送ると、編集端末400のタグデータ送信手段401は、通信網700を経由してサーバー300にタグID＜1001＞を送信する。
【００９４】
サーバー300の利用者特定手段307は、タグID＜1001＞に対応する履歴レコードを利用者別履歴テーブルから検索し、動画コンテンツ送信手段308に対して、利用者Xの利用者別履歴レコードに示された観光ポイントＡおよびＣに対応する動画コンテンツ321、323・・・のデータを、そのデータに対応するリーダー識別データ112が格納された順に、編集端末400に対して送信する旨の指示を出す。
【００９５】
動画コンテンツ送信手段308は、図５で示される観光ポイントＡの動画コンテンツ321を編集端末400に送信し、続いて観光ポイントＣの動画コンテンツ323を編集端末400に送信する。
【００９６】
図８は、編集端末400で作成される動画イメージを表した説明図である。
【００９７】
編集端末400の動画媒体制作手段402は、サーバー300から動画コンテンツ321および動画コンテンツ323を順次受信すると、これらの動画コンテンツを受信順に結合し、ひとつの動画コンテンツ403を生成する。
【００９８】
動画媒体制作手段402は、この動画コンテンツを、動画記録媒体410に書き込み可能なデータ形式に変換して出力する。動画媒体制作手段402は、動画記録媒体410がビデオテープの時には、動画コンテンツ403をビデオ映像に変換し、DVDの場合にはMPEG2データに変換して出力する。
【００９９】
同様のシステム構成で、旅行における旅行アルバム製作だけでなく、美術館、博物館、展示会場などにおいて、主催者が用意している動画コンテンツを用いた動画の編集が容易に行える。
【０１００】
本実施例によれば、以下の効果を奏する。
【０１０１】
第１の効果は、旅行者（利用者）は、高品質な動画コンテンツから構成される高品質の動画による旅行アルバムを制作できることである。
【０１０２】
その理由は、以下のとおりである。
【０１０３】
利用者が、地点タグリーダー110にタグ001のタグＩＤを読み取らせれば、サーバー300は、地点タグリーダー110の設置地域に関する動画コンテンツに対応するリーダー識別データ112を、タグＩＤのレコードに記録する。その後、利用者が、編集装置400Ａにタグ001のタグＩＤを読み取らせれば、サーバー300は、そのタグＩＤのレコード内のリーダー識別データ112に対応する動画コンテンツを、動画コンテンツ格納装置800から読み取り、その動画コンテンツを、編集装置400Ａに提供する。編集装置400Ａは、その動画コンテンツを、記録媒体に記録する。
【０１０４】
第２の効果は、旅行者は、訪れた場所だけの動画コンテンツを、訪れた順に再生する動画アルバムを制作できることである。これにより旅行者の記憶（思い出）とのギャップがない動画アルバムを作ることができる。また、これらの動画獲得は、タグをおのおのの地点でタグリーダーに読み込ませるといった非常に簡単な操作で可能で、高度の動画編集などの専門知識や機材を不要としている。
【０１０５】
その理由は、以下のとおりである。
【０１０６】
サーバー300は、動画コンテンツを、その動画コンテンツに対応するリーダー識別データ112が記録された順に、編集装置400Ａに提供し、編集装置400Aは、動画コンテンツを受け付けた順で、動画コンテンツを記録媒体に記録していく。
【０１０７】
以上説明した実施形態において、図示した構成は単なる一例であって、本発明はその構成に限定されるものではない。
【０１０８】
例えば、観光地等に、その地域を識別するための地域識別用タグIDが記録されている地域識別用タグ002が設置され、利用者が、タグリーダーで地域識別用タグ002から地域識別用タグIDを読み取り、また、タグ001からタグIDを読み取り、その地域識別用タグIDおよびタグIDを、携帯端末からサーバー300に送信してもよい。
【０１０９】
この場合、タグリーダーは、携帯端末に接続されていてもよいし、携帯端末に含まれていてもよい。
【０１１０】
図９は、この場合の動作を説明するための説明図である。
【０１１１】
なお、この場合、図２に示した動画コンテンツ記録システムは、以下のように変形される。
【０１１２】
動画コンテンツDB320には、地域識別用タグの設置場所に関する動画コンテンツが、その地域識別用タグの地域識別用タグIDに対応づけて格納される。
【０１１３】
タグリーダー110のタグデータ・リーダー識別データ送信手段111は、観光地に設置された地域識別用タグから地域識別用タグIDを読み取る。また、タグデータ・リーダー識別データ送信手段111は、タグ001からタグIDを読み取り、そのタグIDを地域識別用タグIDとともに携帯端末200に送信する。
【０１１４】
携帯端末200の送信手段（不図示）は、地域識別用タグIDとタグIDをサーバー300のタグデータ受信手段301に送信する（図９参照）。
【０１１５】
なお、携帯端末が、タグIDを格納しているタグID格納手段を有している場合、携帯端末は、タグデータ・リーダー識別データ送信手段111から地域識別用タグIDを受け付けると、その地域識別用タグIDを、タグID格納手段に格納されているタグIDとともに、サーバー300のタグデータ受信手段301に送信する。
【０１１６】
この場合、利用者が、観光地に設置されている地域識別用タグの地域識別用タグIDをタグリーダー110で読み取り、携帯端末200から地域識別用タグIDをタグIDとともにサーバー300に送信する。
【０１１７】
このため、利用者は、観光地などでも、あらかじめ用意された高品質の動画コンテンツデータを簡単に獲得でき、その動画コンテンツをアルバムデータとして用いることが可能になる。よって、利用者は高品質の動画アルバムを簡単に作成することが可能になる。
【０１１８】
なお、サーバー300として、メモリを含むコンピュータが用いられ、このコンピュータが、そのメモリに格納されたプログラムを実行することによって、上記動作（処理）を実行してもよい。
【０１１９】
なお、本発明は、観光業者は、利用者に対し、旅行などの移動中に、そこにゆかりのある動画コンテンツを容易に獲得できるサービスを提供することができる。
【０１２０】
動画コンテンツを動画記録媒体に書き込むときに料金を課すことで、観光地や博物館などの新たなコンテンツ販売の方法を創出することができる。
【図面の簡単な説明】
【０１２１】
【図１】本発明の一実施形態の動画コンテンツ記録システムの構成の概要を示すブロック図である。
【図２】本実施形態の構成を示すブロック図である。
【図３】受付端末100の動作を説明するための構成図である。
【図４】利用者Xが動画コンテンツを獲得していく動作を説明するための構成図である。
【図５】動画コンテンツ格納装置800の動画コンテンツDB320の具体的な例を示した説明図である。
【図６】サーバー300内の利用者別履歴テーブル330の具体的な例を示した説明図である。
【図７】利用者Xが利用者別履歴テーブル330に格納した観光ポイントに対応する動画を動画媒体へ出力するときの動作を説明するための構成図である。
【図８】編集端末400で作成される動画イメージを表した説明図である。
【図９】実施例の変形例の動作を説明するための説明図である。
【符号の説明】
【０１２２】
001  タグ
100A  受付装置
100  受付端末
101  タグ利用者登録手段
110  地点タグリーダー
111  タグデータ・リーダー識別データ送信手段
112ａ  リーダー識別データ格納部
120  編集タグリーダー
121  タグデータ送信手段
300  サーバー
301  タグデータ受信手段
302  利用者判定手段
303  訪問履歴格納手段
304  格納制御手段
305  提供手段
307  利用者特定手段
308  動画コンテンツ送信手段
309  履歴テーブル構築手段
320  動画コンテンツDB
321、322  動画コンテンツ
330  利用者別履歴テーブル
331,332  利用者X,Y履歴レコード
400A  編集装置
400  編集端末
401  タグデータ送信手段
402  動画媒体制作手段
403  動画コンテンツ
410  動画記録媒体
500  通信網
600  通信網
700  通信網
800  動画コンテンツ格納装置
【図１】
2007267145.tif 000003
【図２】
2007267145.tif 000004
【図３】
2007267145.tif 000005
【図４】
2007267145.tif 000006
【図５】
2007267145.tif 000007
【図６】
2007267145.tif 000008
【図７】
2007267145.tif 000009
【図８】
2007267145.tif 000010
【図９】
2007267145.tif 000011